(57)【要約】  送風装置（１０）は、中心軸に垂直な前面（１３ａ）と背面（１３ｂ）と風路空間（１２）とを備えた本体（１３）と、前面（１３ａ）に備えられ風路空間（１２）に連通する吸込口を備える。また、前面（１３ａ）の外周端部から延設された周回壁（２２）と、高圧空気発生部（１８）と、周回壁（２２）を中心軸（３０）の方向に貫通する複数の誘引吸込口（２４）とを備える。さらに、複数の誘引吸込口（２４）から吸い込まれた空気を混合する混合部と、混合された空気を吹き出す誘引吹出口と、誘引構造とを備える。
2015040838.tif 000002
【特許請求の範囲】
【請求項１】
中心軸上に設けられた対称中心に対して点対称形状を有し、前記中心軸に垂直な前面と、前記中心軸に垂直な背面と、前記前面と前記背面とに挟まれた風路空間とを備えた本体と、
前記前面に備えられ前記風路空間に連通する吸込口と、
前記前面の外周端部から前記前面に対して垂直方向に延設され、内部に前記風路空間と連通する吹出通風路と前記吹出通風路に連通する吹出口とを備える周回壁と、
前記風路空間の内部に設けられた羽根車と、前記中心軸上に回転軸を有し前記羽根車を駆動するモータとを備え、
前記吸込口から前記吹出口に至る第一風路内にて気流を生成する高圧空気発生部と、
前記周回壁を前記中心軸方向に貫通する複数の誘引吸込口と、複数の前記誘引吸込口から吸い込まれた空気を混合する混合部と、前記混合部で混合された空気を吹き出す誘引吹出口とを備えた第二風路と、
前記第一風路と前記第二風路とを空間的に独立させて構成し、前記誘引吹出口の外周に前記吹出口を設けることで、前記吹出口から吹き出された空気に誘引させて前記誘引吸込口から前記誘引吹出口へと空気を導く誘引構造とを備えた送風装置。
【請求項２】
前記吹出口が前記前面と平行な面に形成した開口である請求項１に記載の送風装置。
【請求項３】
前記吸込口を、前記前面を基準として前記誘引吹出口よりも遠方に設け、
前記誘引吹出口から排出された誘引空気の一部が前記吸込口から吸い込まれ、前記第一風路を介して前記吹出口から吹き出される請求項１に記載の送風装置。
【請求項４】
前記高圧空気発生部を駆動させるための電力を供給するバッテリーを格納するバッテリー格納部を前記本体の内部に設けた請求項１または３に記載の送風装置。
【請求項５】
前記吹出口は、
前記周回壁における前記前面とは逆の端部において前記吹出通風路の空気を前記前面から離れる方向に吹出すように形成し、かつ、
前記周回壁の前記誘引吸込口における前記吹出口側の端部を取り除いて独立した複数の吹出口とし、
前記第二風路は、
前記周回壁の外側の空気を内側に通過させる請求項１または３に記載の送風装置。
【請求項６】
前記周回壁は、
前記中心軸を基準に前記前面から前記吹出口にかけて外広がりに延設し、
前記吹出口は、
前記周回壁の内側壁面を前記前面の外周端部近傍から延設方向に長く、かつ前記吹出通風路の空気を前記前面から垂直方向に吹出すように形成したスリットとした請求項１または３に記載の送風装置。
【発明の詳細な説明】
【技術分野】
【０００１】
本発明は、送風装置に関する。
【背景技術】
【０００２】
従来の扇風機及び天井扇などの送風装置は、羽根車とモータとを台座となる基部に内包していた。そして送風装置は、基部上部に備えられた円環形状の送風部から空気を床面と平行に吹出し、空気の循環及び空気の流れを生じさせていた（例えば、特許文献１参照）。【０００３】
以下、その送風装置について図１０および図１１を参照しながら説明する。【０００４】
図１０は従来の送風装置の正面図であり、図１１は、図１０の１１−１１断面図である。送風装置である送風機組立体１００は、中央開口部１０２を画定している環状ノズル１０１を有している。モータ１２２は、環状ノズル１０１を通る空気流を生じさせる。モータ１２２と、モータハウジング１２６が、基部１１６の内部に配置されている。さらに、羽根車１３０が、モータ１２２から外方に延びる回転シャフトに連結されている。ディフューザ１３２が、羽根車１３０の下流側に位置決めされている。モータ１２２は、電気接続部及び電源に接続されている。ユーザは、複数個の選択ボタン１２０により、送風機組立体１００を操作することができる。【０００５】
上記構成において、上述した送風機組立体１００は、以下のように動作する。【０００６】
ユーザが複数個の選択ボタン１２０の中から適当なボタンを選択し、モータ１２２が駆動される。そして、空気が空気入口１２４を介して送風機組立体１００内に吸い込まれる。空気は、外側ケーシング１１８を通り、羽根車１３０の入口１３４まで流れる。ディフューザ１３２の出口１３６及び羽根車１３０の排気部を出た空気流は、内部通路１１０を通って互いに逆の方向に進む２つの空気流に分けられる。【０００７】
空気流は、口１１２に入る際に絞られ、そして口１１２の気流出口１１４で更に絞られる。この絞りにより、送風機組立体１００中に圧力が生じる。【０００８】
このように作られた空気流は、絞りにより生じる圧力に打ち勝つ。そして空気流は、一次空気流として気流出口１１４を通って送風機組立体１００外に出る。一次空気流は、ガイド部分１４８の配置により、ユーザに向かって集中、又は集束される。二次空気流は外部環境、特に気流出口１１４周りの領域及び環状ノズル１０１の外縁部周りからの空気の同伴によって生じる。この二次空気流は、中央開口部１０２を通る。そして中央開口部１０２において二次空気流は、一次空気流と混ざり合って送風機組立体１００から前方に放出される全空気流となる。
【先行技術文献】
【特許文献】
【０００９】
【特許文献１】特開２０１０−０７７９６９号公報
【発明の概要】
【００１０】
このような従来の送風装置では、中央開口部１０２の前後は、二次空気流を通過させるために開放されている必要がある。つまり送風機組立体１００の後方にも空気を吸い込むための大きな空間が必要となり、設置場所が制限される。
【００１１】
また、一次空気流を発生させるための羽根車１３０と、モータ１２２とを内包した基部１１６についても中央開口部１０２の前後には配置できないため、送風部から離れた場所に設ける必要がある。離れた場所に設けられた基部はその構造上、積極的に二次空気流に働きかけることができず、即ち送風効率を高められないという課題があった。
【００１２】
本発明は、中心軸上に設けられた対称中心に対して点対称形状を有し、中心軸に垂直な前面と、中心軸に垂直な背面と、前面と背面とに挟まれた風路空間とを備えた本体を有する。また、前面に備えられ風路空間に連通する吸込口と、前面の外周端部から前面に対して垂直方向に延設され、内部に風路空間と連通する吹出通風路と吹出通風路に連通する吹出口とを備える周回壁を有する。また、風路空間の内部に設けられた羽根車と、中心軸上に回転軸を有し羽根車を駆動するモータとを備え、吸込口から吹出口に至る第一風路内にて気流を生成する高圧空気発生部を有する。また、周回壁を中心軸方向に貫通する複数の誘引吸込口と、複数の誘引吸込口から吸い込まれた空気を混合する混合部と、混合部で混合された空気を吹き出す誘引吹出口とを備えた第二風路を有する。さらに、第一風路と第二風路とを空間的に独立させて構成し、誘引吹出口の外周に吹出口を設けることで、吹出口から吹き出された空気に誘引させて誘引吸込口から誘引吹出口へと空気を導く誘引構造とを備える。
【００１３】
このように、本発明は、構造上の課題を解決することで誘引空気量を増加させ、即ち風速の減衰が少なく遠方まで到達する気流を効率よく生み出し、しかも設置場所が制限されない送風装置を提供する。
【図面の簡単な説明】
【００１４】
【図１】図１は、本発明の第１の実施の形態に係る送風装置の斜視図である。
【図２】図２は、本発明の第１の実施の形態に係る送風装置の断面図である。
【図３】図３は、本発明の第１の実施の形態に係る送風装置の断面図である。
【図４】図４は、本発明の第２の実施の形態に係る送風装置の斜視図である。
【図５】図５は、本発明の第２の実施の形態に係る送風装置の断面図である。
【図６】図６は、本発明の第３の実施の形態に係る送風装置の断面図である。
【図７】図７は、本発明の第３の実施の形態に係る送風装置の断面図である。
【図８】図８は、本発明の第４の実施の形態に係る送風装置の斜視図である。
【図９】図９は、本発明の第５の実施の形態に係る送風装置の斜視図である。
【図１０】図１０は、従来の送風装置の正面図である。
【図１１】図１１は、従来の送風装置の部分断面図である。
【発明を実施するための形態】
【００１５】
以下、添付図面を参照して本発明の実施の形態につき説明し、本発明の理解に供する。なお、以下の実施の形態は、本発明を具体化した一例であって、本発明の技術的範囲を限定するものではない。また全図面を通して、同一の部位については同一の符号を付して説明を省略する。さらに、各図面において、本発明に直接には関係しない各部の詳細については説明を省略する。
【００１６】
（第１の実施の形態）
最初に、図１を参照しながら本発明の第１の実施の形態に係る送風装置の概略構成について説明する。なお図１は、本実施の形態に係る送風装置の斜視図である。
【００１７】
図１に示すように送風装置１０は、前面１３ａ及び背面１３ｂを備えた本体１３と、前面１３ａの外周端部から前面１３ａに対して垂直方向に延設された周回壁２２を有する。さらに、送風装置１０は、前面１３ａ上に設けられた吸込口１５と、吹出口１９と、誘引吸込口２４と、混合部５１と、誘引吹出口２６とを備える。
【００１８】
前面１３ａおよび背面１３ｂは、中心軸３０を中心とした円形をしており、中心軸３０に垂直な面として配置されている。また吸込口１５は前面１３ａの送風方向５０側の中心軸３０の周囲に備えられている。
【００１９】
また、前面１３ａの中心軸３０付近は送風方向５０側に凸型に突出させて台座部を設けており、吸込口１５は、この台座部の側面に複数の開口部１５ａとして設けられている。
【００２０】
スリット状の開口部１５ａは、その長手方向が台座部の低部から頂点方向に結んだ線（中心軸３０から放射状に伸びる線）と平行になるよう配置されている。開口部１５ａは、中心軸３０から等距離かつ円周方向に等間隔に配置されており、即ち中心軸３０の所定の点（対称中心）に対して点対称形状を形成している。
【００２１】
背面１３ｂは、中心軸３０を中心とした円形の平面で構成されており、中心軸３０に対して垂直に配置されている。また背面１３ｂは、前面１３ａを挟んで送風方向５０とは逆側、かつ前面１３ａと平行に配置されている。
【００２２】
背面１３ｂの外周端部には、前面１３ａ側に向けて外壁が設けられている。そして背面１３ｂと前面１３ａとの間には風路空間１２（図２参照）が構成されている。なお、風路空間１２についての詳細な説明は後述する。
【００２３】
前面１３ａは、その外周端部から送風方向５０方向に延設された周回壁２２を備えている。なお送風方向５０は、前面１３ａに対して垂直方向である。ここで言う垂直方向とは、前面１３ａに対して完全な垂直である必要は無く、前面１３ａの垂直面に対して多少の傾きがあってもよい。また周回壁２２の延設方向も同様に前面１３ａに対して完全な垂直である必要はない。
【００２４】
周回壁２２は、外周壁２２ａと内周壁２２ｂとより挟まれた内部空間を備えている。内部空間は、前述の風路空間１２と連通する吹出通風路５５（図２参照）である。また周回壁２２は、前面１３ａとは逆の端部において前面１３ａと平行な面に形成した開口である吹出口１９を備えている。周回壁２２は、中心軸３０を基準として前面１３ａから吹出口１９にかけて外広がりに延設されている。ここで外広がりとは、前面１３ａから離れるに従って中心軸３０から離れる方向である。なお吹出口１９は前面１３ａと平行に配置しているが、ここで言う平行とは完全な平行である必要は無く、外広がりの構成に対して送風方向を微調整するための小さな傾きがあってもよい。
【００２５】
吹出口１９は、前述の吹出通風路５５及び風路空間１２と連通しているが詳細は後述する。
【００２６】
周回壁２２は、本体１３の外側から中心軸３０方向に貫通する複数の誘引吸込口２４を備えている。なお本体１３の外側から中心軸３０に向かう方向は、換言すると外周壁２２ａから内周壁２２ｂに向かう方向である。誘引吸込口２４は、周回壁２２の円周方向に等間隔に配置されており、対称中心に対して点対称形状を形成している。また、本実施の形態において誘引吸込口２４はＵ字状の溝として形成されている。
【００２７】
誘引吹出口２６は、前面１３ａの送風方向５０側に中心軸３０を中心とした円形の開口平面として前面１３ａと平行に設けられている。誘引吹出口２６は、縁部が周回壁２２の吹出口１９側端部により囲まれている。なお本実施の形態では、誘引吸込口２４の吹出口１９側の端部を取り除くことで、独立した複数の吹出口１９としている。つまり、誘引吸込口２４の送風方向５０側は開放されており、誘引吹出口２６と誘引吸込口２４との間に物理的な仕切りが存在しない。
【００２８】
混合部５１は、前面１３ａと誘引吹出口２６とに挟まれた空間として設けられている。
【００２９】
以上に述べたように、送風装置１０は、全体として中心軸３０の所定の点（対称中心）に対して点対称形状を形成している。
【００３０】
続いて図２を参照しながら送風装置１０の内部構造について詳しく説明する。なお図２は、図１に示した送風装置１０の中心軸３０を含む、前面１３ａと垂直な面による断面図である。また図３は、図２に示した送風装置１０の前面１３ａと平行な軸３１を含む、前面１３ａと平行な面で切断した際の、吹出口１９側から見た断面図である。
【００３１】
図２に示すように送風装置１０は、本体１３の内部に前面１３ａと背面１３ｂに挟まれた風路空間１２を備えている。
【００３２】
風路空間１２は、前面１３ａと、背面１３ｂと、背面１３ｂの外周端部に設けられた外壁５２とにより囲まれた空間である。風路空間１２は、吸込口１５に連通させて設けた羽根車１６と羽根車１６を駆動するためのモータ１７とを具備する高圧空気発生部１８を備える。モータ１７は、上述の台座部５３内に、風路空間１２から突出して配置される。モータ１７の回転軸５４は、中心軸３０上に位置する。
【００３３】
モータ１７は電力で駆動し、即ち電圧等を制御する制御基盤を備えた電源供給部（図示なし）から電力が供給される。電力が供給されると回転軸５４が回転し、羽根車１６を駆動する。電力供給部には、例えば本体１３の外部にある家庭用コンセントなどから電力が引き込まれる。
【００３４】
なお以後の説明に供するため、吸込口１５を始点として、風路空間１２、吹出通風路５５、を通過して吹出口１９に至る風路を第一風路とする。
【００３５】
また、誘引吸込口２４を始点として、破線の台形で示した混合部５１を介して誘引吹出口２６に至る風路を第二風路とする。
【００３６】
続いて図２、図３を参照しながら送風装置１０の空気の流れについて詳しく説明する。
【００３７】
高圧空気発生部１８を動作させると、複数ある誘引吸込口２４の全てから、誘引空気（空気Ｘ＋空気Ｙ）が吸い込まれる。吸い込まれた空気の一部（空気Ｘ）は、吸込口１５から吸い込まれ、風路空間１２内で羽根車１６によって昇圧される。昇圧された空気Ｘは、吹出通風路５５を通過して吹出口１９から吹き出される。つまり空気Ｘは、吸込口１５から吹出口１９に至る第一風路を通って吹出口１９から吹き出される。
【００３８】
吹出口１９から空気Ｘが吹き出されると、この空気に誘引されて大風量の誘引空気（空気Ｘ＋空気Ｙ）が複数の誘引吸込口２４から吸い込まれる。ここで、空気の一部（空気Ｘ）は、吸込口１５から吸い込まれるが、他の空気Ｙは、混合部５１にて混合された後、誘引吹出口２６から吹出される。なお、混合部５１にて混合されるのは、主に隣接する誘引吸込口２４から吸い込まれた空気である。空気Ｘと空気Ｙとは吹出口１９、及び誘引吹出口２６からそれぞれ排出されてすぐに混合され、大風量の気流となる。大風量の気流は、吹出口１９が向いている方向、即ち前面１３ａに垂直な方向に向けて遠方まで届けられる。
【００３９】
つまり昇圧された空気Ｘが通る第一風路と、誘引された空気Ｙが通る第二風路とを空間的に独立して設けている。そして空気Ｙが排出される誘引吹出口２６の外周に、高圧空気発生部１８の駆動により空気Ｘを吹き出す吹出口１９を設けている。この構成により、吹出口１９から吹出された空気Ｘに誘引させて、誘引吸込口２４から誘引吹出口２６へと空気Ｙを導く仕組みが誘引構造である。ここで言う「空間的に独立して」とは、第一風路と第二風路とに空気流の交わりが無い状態を言う。
【００４０】
上述した誘引構造を有することで、少ない量の空気Ｘの昇圧により、大風量の気流を生み出すことができる。
【００４１】
また吹出口１９が周回壁２２の端面にあるため、吹出口１９から吹き出す空気に誘引される空気は、コアンダ効果により周回壁２２に沿って流れる。つまり吹出口１９から吹き出す空気と誘引された空気が合わさって流れるため、周回壁２２の方向を調整することで送風範囲や方向をコントロールすることができ、使用者のニーズにあった気流を生み出すことができる。
【００４２】
そして本実施の形態では、吸込口１５を第二風路の途中に設けている。このような構成によれば、高圧空気発生部１８により吸込口１５から吸込まれる空気は、その前段で誘引吸込口２４を通過する。換言すると、誘引吸込口２４から吸込まれる空気は、単なる誘引力のみでなく、高圧空気発生部１８の引き込みにより力強い気流の流れとなる。この力強い気流により、誘引吸込口２４に流れ込む空気の空気抵抗が減少する。これにより誘引空気（空気Ｘ＋空気Ｙ）の量が増加し、送風装置１０はより多くの吹き出し気流を効率よく生み出すことができる。吹出された空気は中心部に外側より圧力の低いコア領域５６が形成されるため直進性に優れ、風速の減衰が少なく遠方まで到達する気流を効率よく生み出すことができる。
【００４３】
また送風装置１０は、前面１３ａから垂直方向に延設された周回壁２２を貫通させて誘引吸込口２４が設けられている。これは、中心軸３０に垂直な面に対して平行に、中心軸３０に向けて誘引空気が吸い込まれることを意味する。つまり送風装置１０は、背面１３ｂに風路を設ける必要が無いため、例えば背面１３ｂを壁や天井に設置することが可能となり、設置場所の制限が少ない。
【００４４】
また羽根車１６は第一風路の中にあり外部から直接接触できないため、送風装置１０を利用するユーザの、羽根車１６への接触による不安感を無くすことができる。
【００４５】
また高圧空気発生部１８を本体１３内部に収めることができるため、送風装置１０全体をコンパクトな構成とすることができる。
【００４６】
また誘引吸込口２４が複数あるため、一つの誘引吸込口２４が塞がれるような使用状態でも、他の誘引吸込口２４から空気を誘引できるため性能を発揮することができる。この点でも送風装置１０は設置場所の制限を少なくすることができる。
【００４７】
また、一部の誘引吸込口２４を塞ぐことで、塞がれた側の誘引吸込口２４からの風量が少なくなり、塞がれていない側に片寄った気流が誘引吸込口２４から吹出される。このため、塞ぐ誘引吸込口２４を変えることで、それぞれ異なった揺らぎ、風向の風を生み出すことができる。
【００４８】
誘引吸込口２４の配置位置は、吹出口１９より羽根車１６に近い位置に配した方が混合部５１を大きくでき、誘引された空気を効率よく混合することができる。つまり、効率よく混合された空気によって、ムラの無い気流を提供することができる。
【００４９】
（第２の実施の形態）
次に、本発明の第２の実施の形態に係る送風装置について説明する。
【００５０】
本実施の形態では、本発明の第１の実施の形態と異なる点のみを説明する。なお図４は、本実施の形態に係る送風装置１０ｂの斜視図である。
【００５１】
図４に示すように、送風装置１０ｂの前面１３ａは、中心軸３０付近に風路空間１２に空気を取り入れる吸込口１５が備えられている。ただし前面１３ａの吸込口１５を備える中央付近は、周囲の面よりも急激に盛り上がった突起形状を有している。そして、この突起形状の先端部の側面に備えられた吸込口１５は、前面１３ａを基準として、吹出口１９及び誘引吹出口２６よりも離れる方向に突出している。つまり吸込口１５は、吹出口１９及び誘引吹出口２６よりも前面１３ａに対して遠方に突出して設けられている。また混合部５１は、前面１３ａと誘引吹出口２６とに挟まれた空間として設けられているのは本発明の第１の実施の形態と同様である。しかし吸込口１５を前面１３ａに対して遠方に設けるための突起形状を有しているため、本実施の形態では、混合部５１は、送風方向５０側から見た場合にはドーナツ形状となる。
【００５２】
なお吸込口１５は、スリット状の開口部１５ａを複数備え、開口部１５ａは、長方形における長辺を中心軸３０から放射状に伸びる線と平行になるよう配置されている点は本発明の第１の実施の形態と同様である。
【００５３】
続いて図４、図５を参照しながら送風装置１０ｂの動作について説明する。なお図５は、図４の送風装置１０ｂの中心軸３０を含む、前面１３ａと垂直な面による断面図である。
【００５４】
上記構成において、送風装置１０ｂの高圧空気発生部１８を動作させると、風路空間１２に連通する吸込口１５から空気が吸い込まれる。吸い込まれた空気は風路空間１２内で昇圧され、吹出通風路５５を介して吹出口１９から吹き出される。つまり吸い込まれた空気は、吸込口１５から風路空間１２、吹出通風路５５を介して吹出口１９に至る第一風路を通って、吹出口１９から吹き出される。
【００５５】
吹出口１９から空気が吹き出されると、誘引吹出口２６付近の空気が、吹出口１９から吹き出された空気と同一方向に誘引される。この誘引により、第二風路で連通している誘引吸込口２４から誘引空気（空気Ｐ＋空気Ｑ）が吸い込まれる。
【００５６】
誘引吸込口２４から吸い込まれた空気（空気Ｐ＋空気Ｑ）のうち一部（空気Ｑ）は、誘引吹出口２６から吹出された直後に吸込口１５から風路空間１２内に吸い込まれる。風路空間１２内に吸い込まれた空気Ｑは、上述したように吸込口１５から風路空間１２、吹出通風路５５を介して吹出口１９に至る第一風路を通って、吹出口１９から吹き出される。
【００５７】
また誘引吸込口２４から吸い込まれた空気（空気Ｐ＋空気Ｑ）のうち他の空気（空気Ｐ）は、混合部５１にて隣接する誘引吸込口２４から誘引された空気と混合され、誘引吹出口２６から吹き出される。誘引吹出口２６から吹き出された後、吹出口１９から吹き出された空気Ｑと混合され、大風量の気流となる。
【００５８】
なお、誘引吹出口２６の外周に、吹出口１９が配置されているのは本発明の第１の実施の形態で説明したとおりである。つまり、誘引によって発生した気流の内部に吸込口１５が存在する。そして送風装置１０ｂでは、吸込口１５が突出し吹出口１９及び誘引吹出口２６よりも下流側に存在する。この構成において空気Ｑが吸込口１５から吸い込まれるため、誘引によって発生した気流の内側（中心軸３０側）の空間は、外側の空間よりも圧力が低くなる（コア領域５６）。これにより送風装置１０ｂによって生み出される気流は、内側（中心軸３０方向）に集まるようになる。つまり、上記構成により、送風装置１０ｂによって生み出される気流の拡散は抑制され、スポット風となる。結果として、送風装置１０ｂは、誘引を利用した大風量の風を、強い気流として遠くまで送ることが可能になる。
【００５９】
（第３の実施の形態）
次に、本発明の第３の実施の形態に係る送風装置について説明する。
【００６０】
本実施の形態では、本発明の第１および第２の実施の形態と異なる点のみを説明する。なお図６は、本実施の形態に係る送風装置１０ｃの断面図である。また図７は、図６に示した送風装置１０ｃの前面１３ａと平行な軸６０を含む、前面１３ａと平行な面で切断した際の、吹出口１９側から見た断面図である。
【００６１】
図６に示すように、送風装置１０ｃの各風路（第一風路、第二風路）の構造は、本発明の第１の実施の形態における送風装置１０と同じである。送風装置１０と本実施の形態における送風装置１０ｃが異なる点は、本体１３を構成する背面１３ｂのさらに送風方向とは逆方向に、バッテリー用空間４０を備えている点である。またモータ１７ｃは、本発明の第１の実施の形態に示したモータ１７とは異なり上下方向逆に配置されている。つまり本実施の形態の場合、モータ１７の本体部分はバッテリー用空間４０内に位置している。
【００６２】
バッテリー用空間４０は、背面１３ｂを挟んで前面１３ａとは逆位置に備えられたバッテリー背面１３ｃと、背面１３ｂとによって挟まれた空間を指す。つまり本体１３を送風方向とは逆方向に内部空間を拡張した構造となっている。なおバッテリー背面１３ｃは中心軸３０を中心とする円形の平面であり、背面１３ｂと平行に設けられている。
【００６３】
バッテリー用空間４０は、さらにバッテリー格納部３５を備えている。
【００６４】
バッテリー格納部３５は、図７に示すように、中心軸３０に回転軸を有するモータ１７ｃの外周に設けられている。バッテリー格納部３５の内部には、円筒形のセル３４が複数個（図７では１２個）設けられており、それらが導電線３７により通電可能に接続されている。
【００６５】
セル３４は、中心軸３０を中心として周囲に均等間隔で配置されており、すなわち本体１３の重心は、中心軸３０に保たれている。またセル３４は、内部が空洞となっており、この空洞に高圧空気発生部１８を駆動させるための電力を供給するバッテリーが格納される。なお格納されるバッテリーは、充電不能（一次電池）、充電可能（一次電池）を問わない。
【００６６】
バッテリー格納部３５の周囲には、断面がドーナツ形状の制御基盤３６が設けられている。制御基板３６は、バッテリー格納部３５と接続されており、バッテリー格納部３５に格納されたバッテリーからモータ１７ｃへの給電を制御する。制御基板３６もセル３４と同様、中心軸３０を中心として周囲に重量配分が均等となるよう配置されており、すなわち本体１３の重心は、中心軸３０に保たれている。
【００６７】
バッテリー用空間４０の内部であって、吹出口１９と対向する面には、受電部３８が備えられている。受電部３８は制御基盤３６と通電可能に接続されている。またバッテリー背面１３ｃは外側がフラットな底面３９となっている。
【００６８】
つまり、底面３９に図示しない電力供給装置を配置することで、非接触電力伝送により受電部３８に電力を供給することができる。
【００６９】
受電部３８に電力が供給されると、制御基盤３６を介してモータ１７ｃ及び／又は各セル３４に電力が供給される。各セル３４に電力が供給されるのはバッテリーが充電可能な場合であり、その判断は制御基盤３６により行われる。
【００７０】
セル３４に電力が供給された場合、バッテリー格納部３５に格納された充電可能なバッテリーに充電される。また、電力供給装置が無い場合には、バッテリーから制御基盤３６を介してモータ１７ｃに電力が供給される。
【００７１】
以上のように、本実施の形態においては、バッテリー格納部３５を備えているため、バッテリーを格納することで送風装置１０ｃを自由に持ち運び可能になり、即ち可搬性に優れる。
【００７２】
また、バッテリー用空間４０は第一風路、第二風路を圧迫することが無く、即ち送風量を減少させることが無い。
【００７３】
また、モータ１７が台座部５３内に無いため、吸込口１５内部の空間の容量を大きくすることができるため、送風効率を上げ、即ちより大風量の風を生み出すことができる。
【００７４】
なお非接触電力伝送には、電磁誘導方式や電波方式など様々な種類があるが、本実施の形態における方式は限定されない。
【００７５】
（第４の実施の形態）
次に、本発明の第４の実施の形態に係る送風装置について説明する。
【００７６】
本実施の形態では、本発明の第１の実施の形態と異なる点のみを説明する。なお図８は、本実施の形態に係る送風装置１０ｄの斜視図である。
【００７７】
送風装置１０ｄを構成する周回壁２２は外周壁２２ａと内周壁２２ｂを有するとともに、中心軸３０を基準にして、前面１３ａから吹出口１９ｄにかけて外広がりに延設されている。
【００７８】
吹出口１９ｄは、周回壁２２の内周壁２２ｂの面上に設けられている。吹出口１９ｄは、前面１３ａの外周端部６７近傍を始点として、延設方向に長く形成されている。さらに吹出口１９ｄは、吹出通風路の空気を前面１３ａから離れる方向に、前面１３ａに対して垂直に吹出すように形成したスリットである。垂直に吹出す構成はどのようなものであってもよいが、例えば吹出口１９ｄの開口縁から吹出通風路内部に向けて、前面１３ａに対して垂直にガイドを設ければよい。
【００７９】
このような構成によれば吹出口１９ｄを構成するスリットから吹出した空気は、延設方向に長い風速分布となる。このため、誘引吸込口２４の延設方向に広く空気を誘引する効果を得ることができる。つまり誘引吸込口２４から効率よく空気を誘引することができ、送風効率を高めることができる。
【００８０】
この構成でも他の実施の形態と同様に、背面１３ｂを壁や天井に設置することが可能となり設置場所が制限されない。
【００８１】
（第５の実施の形態）
次に、本発明の第５の実施の形態に係る送風装置について説明する。
【００８２】
本実施の形態では、送風装置１０ｅを、室内壁面に配置した例を説明する。なお図９は、本実施の形態に係る送風装置１０ｅの斜視図である。
【００８３】
ただし本実施の形態では、誘引吸込口２４の吹出口１９側の端部を取り除いていておらず、Ｕ字形状ではない。即ち吹出口１９を円形の開口部としている。つまり、誘引吹出口２６と誘引吸込口２４との間に物理的な仕切りが存在する例である。
【００８４】
送風装置１０ｅは、背面１３ｂが平らな平面であるため、例えば室内壁面３２に係止することができる。なお係止方法についてはどのようなものであってもよく、接着、はめ込みなどが該当する。
【００８５】
周回壁２２は、本体１３の外側から中心軸３０方向に貫通する複数の誘引吸込口２４を備えている。したがって、室内壁面３２に設置した場合であっても、背後に空間を設ける必要が無く、即ち室内壁面３２に密着設置できる。このため設置場所が制限されない。また、誘引により送風を行うため、少ない吸気で大量の送付が可能となり、風速の減衰が少なく遠方まで到達する気流を効率よく生み出すことができる。
【００８６】
以上、本発明の複数の実施の形態に係る送風装置ついて説明を行ったが、これら複数の実施の形態における各構成要素は、矛盾しない範囲で組み合わせてもよい。例えば図２や図５に示す送風装置に図６のバッテリー格納部３５、制御基板３６、受電部３８、底面３９等を備える構成がこの組み合わせに該当する。
【００８７】
また本体１３は円形を例に説明したが、対称中心に対して点対称形状を有すればよく、例えば５角形、６角形等の多角形であってもよい。
【００８８】
なお全ての実施の形態を通して、複数の同一形状・構造など（例えば吹出口１９や空気Ｘ）が存在する場合であっても、図面の視認性を優先し、一部にしか符合を付していない。
【産業上の利用可能性】
【００８９】
本発明にかかる送風装置は、居室内の床、机上、天井や壁に設置され、直接気流による体感温度の減少や室内の空気の循環に使用される各種送風機器等として有用である。
【符号の説明】
【００９０】
１０，１０ｂ，１０ｃ，１０ｄ，１０ｅ  送風装置
１２  風路空間
１３  本体
１３ａ  前面
１３ｂ  背面
１５  吸込口
１６  羽根車
１７，１７ｃ  モータ
１８  高圧空気発生部
１９，１９ｄ  吹出口
２２ａ  外周壁
２２ｂ  内周壁
２２  周回壁
２４  誘引吸込口
２６  誘引吹出口
３０  中心軸
５１  混合部
５５  吹出通風路
１００  送風機組立体
１０１  環状ノズル
１０２  中央開口部
１１０  内部通路
１１２  口
１１４  気流出口
１１６  基部
１１８  外側ケーシング
１２０  選択ボタン
１２２  モータ
１２４  空気入口
１２６  モータハウジング
１３０  羽根車
１３２  ディフューザ
１３４  入口
１３６  出口
１４８  ガイド部分
【図１】
2015040838.tif 000003
【図２】
2015040838.tif 000004
【図３】
2015040838.tif 000005
【図４】
2015040838.tif 000006
【図５】
2015040838.tif 000007
【図６】
2015040838.tif 000008
【図７】
2015040838.tif 000009
【図８】
2015040838.tif 000010
【図９】
2015040838.tif 000011
【図１０】
2015040838.tif 000012
【図１１】
2015040838.tif 000013
【国際調査報告】
2015040838.tif 000014
2015040838.tif 000015